(57)【要約】【課題】  画像スキャナーのスキャンニング用の光源として用いるための画像スキャナー用照明装置をＬＥＤ光源で実現する。【解決手段】  上面に複数のＬＥＤ光源Ｌを間隔をおいて直線上に並べて実装した短冊状の金属製の照明基板１０と、上記照明基板より全長が短く、照明基板が両端を露出した状態で貫挿されて固定される両端が開口した鞘状のライトカバー１よりなり、上記ライトカバーは光の拡散処理が施された透光性を有するものであり、実装されたＬＥＤ光源の上面とライトカバーの天井面との間には一定の間隙が開けられる。【選択図】      図１
0003174721.tif 000002
【実用新案登録請求の範囲】
【請求項１】
上面に複数のＬＥＤ光源を間隔をおいて直線上に並べて実装した短冊状の金属製の照明基板と、上記照明基板より全長が短く、照明基板が両端を露出した状態で貫挿されて固定される両端が開口した鞘状のライトカバーよりなり、上記ライトカバーは光の拡散処理が施された透光性を有するものであり、実装されたＬＥＤ光源の上面とライトカバーの天井面との間には一定の間隙が開けられることを特徴とする画像スキャナー用照明装置。
【請求項２】
照明基板はライトカバーの底部とその上の左右内壁に突設される係止鍔との間に挟持されることにより固定される請求項１記載の画像スキャナー用照明装置。
【請求項３】
ライトカバーはポリカーボネートを押し出し成型して得られる請求項１または２記載の画像スキャナー用照明装置。
【請求項４】
ライトカバーの両端から露出した照明基板の両端には、照明装置をスキャナーに取り付けるための止めねじのためのねじ孔が穿設される請求項１から３のいずれかに記載の画像スキャナー用照明装置。
【考案の詳細な説明】
【技術分野】
【０００１】
この考案は、画像スキャナーのスキャンニング用の光源として用いるための画像スキャナー用照明装置に関する。
【背景技術】
【０００２】
画像スキャナーのスキャンニング用の光源としては、スキャンニングする巾に応じた全長を有する線状のものが要求され、そのため従来はこの種の光源として冷陰極管が使用されていた（特許文献１）。
【先行技術文献】
【特許文献】
【０００３】
【特許文献１】特開２００７−５３７１６号公報
【特許文献２】意匠登録第１３４７１１０号公報
【考案の概要】
【考案が解決しようとする課題】
【０００４】
従来技術において、冷陰極管が用いられていた理由は一重にそのコンパクトさにあり、それにより画像スキャナーの小型化に寄与していた。
【０００５】
しかしながら、冷陰極管には温度への依存性があり、それが使用可能になるまでの立ち上がり時間を要するという問題があった。
【０００６】
また、電源に関してもスキャナーのモータの駆動用のものとは別種のものが要求され、コスト面で不利であった。
【課題を解決するための手段】
【０００７】
この考案は、以上の問題点を解決した画像スキャナー用照明装置を提供することを目的として創作されたものである。すなわち、この考案の画像スキャナー用照明装置は上面に複数のＬＥＤ光源を間隔をおいて直線上に並べて実装した短冊状の金属製の照明基板と、上記照明基板より全長が短く、照明基板が両端を露出した状態で貫挿されて固定される両端が開口した鞘状のライトカバーよりなり、上記ライトカバーは光の拡散処理が施された透光性を有するものであり、実装されたＬＥＤ光源の上面とライトカバーの天井面との間には一定の間隙が開けられることを特徴とする。
【０００８】
また、請求項２に記載の考案は、前記の画像スキャナー用照明装置において、照明基板はライトカバーの底部とその上の左右内壁に突設される係止鍔との間に挟持されることにより固定されることを特徴とする。
【０００９】
また、請求項４に記載の考案は、前記の画像スキャナー用照明装置において、ライトカバーの両端から露出した照明基板の両端に、照明装置をスキャナーに取り付けるための止めねじのためのねじ孔が穿設されることを特徴とする。
【考案の効果】
【００１０】
冷陰極管は線状の光源であるのに対し、ＬＥＤ光源は点状の光源である。この場合、ＬＥＤ光源を間隔をおいて直線上に並べて実装することにより線状の発光を得ることは公知である（例えば、特許文献２）。
【００１１】
しかしながら、並べて実装されたＬＥＤ光源とＬＥＤ光源の間には暗部が存するので、点在するＬＥＤ光源により光のリップルが生じることとなり、通常の照明なら特に問題とならないが画像スキャナーのスキャンニング用の光源としてはこの点が問題となった。
【００１２】
一方、画像スキャナーの小型化に寄与していた冷陰極管の代替品として使用することを想定した場合、冷陰極管と同じか、それ以下の寸法でなくてはならなかった。その場合、ＬＥＤ光源は高い照明輝度を得ようとすると高熱を発する性質があるので、その問題を解決しなくてはならなかった。
【００１３】
この考案の画像スキャナー用照明装置においては第一にライトカバーを光の拡散処理が施されたものとし、同時に実装されたＬＥＤ光源の上面とライトカバーの天井面との間に一定の間隙を設けることにより、点在するＬＥＤ光源からの光をライトカバーを通過する過程で拡散させて光のリップルが生じることを防止している。
【００１４】
さらに、上面に複数のＬＥＤ光源を間隔をおいて直線上に並べて実装した短冊状の金属製の照明基板を、上記照明基板より全長が短く両端が開口した鞘状のライトカバーに、照明基板が両端を露出した状態で貫挿して固定することにより、ちょうど両端が開放されたライトカバーを照明基板が串差しすることになり、ライトカバー間を空気が流通して内部に溜まった熱を両端の隙間から排熱する他、ライトカバーの両端から露出した金属製の照明基板が内部に溜まった熱を外に逃がすラジエターの役目も果たし、照明輝度を高めた際の照明装置内の高温化を防止する。この場合、請求項４記載の考案のようにライトカバーの両端から露出した照明基板の両端を、照明装置をスキャナーに取り付けるための止めねじのためのねじ孔を穿設するスペースとして利用すれば、限られた寸法を有効に活用できることとなる。
【００１５】
また、両端が開放されたライトカバーを照明基板が串差しする構造なので、ライトカバーに開閉部分が不要となり小型化に寄与する他、ライトカバーを押し出し成型により得ることができコスト面でも有利となる。
【００１６】
また、ＬＥＤ光源とすることにより、スキャナーのモータの駆動用のものと電源を共用できコスト面で有利となる。
【図面の簡単な説明】
【００１７】
【図１】この考案の画像スキャナー用照明装置の分解斜視図。
【図２】この考案の画像スキャナー用照明装置の平面図。
【図３】同上、底面図。
【図４】同上、側面図。
【図５】同上、断面図。
【図６】同上、断面図。
【図７】この考案の画像スキャナー用照明装置のランプカバーの断面図。
【図８】この考案の画像スキャナー用照明装置のランプカバーの異なる実施例の斜視図。
【図９】この考案の画像スキャナー用照明装置のランプカバーの異なる実施例の底面図。
【図１０】この考案の画像スキャナー用照明装置のランプカバーの異なる実施例の斜視図。
【考案を実施するための形態】
【００１８】
以下、この考案の画像スキャナー用照明装置の具体的実施例を添付図面に基づいて説明する。この考案の画像スキャナー用照明装置は照明基板１０と、上記照明基板を内装するライトカバー１より構成される。照明基板１０は上面に複数のＬＥＤ光源Ｌを間隔をおいて直線上に並べて実装した短冊状の金属板からなり、ここではアルミ板を採用している。
【００１９】
前記、照明基板１０が内装されるライトカバー１はライトカバーの底部２とその上の左右内壁に突設される係止鍔３、３との間に照明基板４を挟持するものであり、上記照明基板より全長が短く両端が開口した鞘状のライトカバーを照明基板が串差しすることになる。ライトカバーの両端から露出した照明基板の両端には照明装置をスキャナーに取り付けるための止めねじのためのねじ孔１１、１１が穿設される。また、露出した照明基板の一端にはＬＥＤ光源Ｌへの通電のための接続端子コネクタＣが実装される。なお、前記係止鍔３、３はここではライトカバー１の全長方向に連続する直線状のものを例示しているが、複数に分割してもよいことは勿論である。
【００２０】
前記ライトカバー１は光の拡散処理が施された透光性を有するものであり、合成樹脂による押し出し成型により得られる。この場合、合成樹脂としては剛性、耐熱性、難燃性の見地からポリカーボネートが最適である。
【００２１】
図６は照明装置の断面を示す図であるが、実装されたＬＥＤ光源Ｌの上面とライトカバー１の天井面４との間には一定の間隙が開けられることにより、ライトカバーによる光の拡散作用を高め、点在するＬＥＤ光源により光のリップルが生じることを防止している。
【００２２】
図８はライトカバー１の異なる実施例を示す図であり、ここではライトカバー１の側壁に通気窓Ｍ１を間隔をおいて配することによりライトカバーからの排熱を図っている。
【００２３】
図９はライトカバー１の異なる実施例を示す図であり、ここではライトカバー１の底部２に窓を間隔をおいて窓Ｍ２を配することにより、金属製の照明基板が内部に溜まった熱を外に逃がすラジエターの役目を助長することを図っている。
【００２４】
図１０はライトカバー１の異なる実施例を示す図であり、ここではライトカバー１の底部２に全長方向に渡って中央切り欠きをＫを設けることにより、金属製の照明基板が内部に溜まった熱を外に逃がすラジエターの役目を助長することを図っている。
【符号の説明】
【００２５】
１        ライトカバー
１０      照明基板  
Ｌ        ＬＥＤ光源
【図１】
0003174721.tif 000003
【図２】
0003174721.tif 000004
【図３】
0003174721.tif 000005
【図４】
0003174721.tif 000006
【図５】
0003174721.tif 000007
【図６】
0003174721.tif 000008
【図７】
0003174721.tif 000009
【図８】
0003174721.tif 000010
【図９】
0003174721.tif 000011
【図１０】
0003174721.tif 000012
【手続補正書】
【提出日】平成24年1月20日(2012.1.20)
【手続補正１】
【補正対象書類名】明細書
【補正対象項目名】００１９
【補正方法】変更
【補正の内容】
【００１９】
前記、照明基板１０が内装されるライトカバー１はライトカバーの底部２とその上の左右内壁に突設される係止鍔３、３との間に照明基板１０を挟持するものであり、ちょうど両端が開放されたライトカバーを照明基板が串差しすることになる。ライトカバーの両端から露出した照明基板の両端には照明装置をスキャナーに取り付けるための止めねじのためのねじ孔１１、１１が穿設される。また、露出した照明基板の一端にはＬＥＤ光源Ｌへの通電のための接続端子コネクタＣが実装される。なお、前記係止鍔３、３はここではライトカバー１の全長方向に連続する直線状のものを例示しているが、複数に分割してもよいことは勿論である。